(57)【要約】 【課題】  表面弾性波発振器を備える受信機ＩＣを提供する。【解決手段】  発振回路を含む外部のＳＡＷデバイスに関連した受信機ＩＣであって、前記外部のＳＡＷデバイスの両端にそれぞれ接続された入力端子と出力端子を有するインバータステージ、前記インバータステージの入力端子と接地の間に接続された第１コンデンサ、前記インバータステージの出力端子と接地の間に接続された第２コンデンサ、および前記インバータステージの入力と出力端子の間に接続されたレジスタを含む。【選択図】  図２
2008099241.tif 000002
【特許請求の範囲】
【請求項１】
発振回路を含む外部のＳＡＷデバイスに関連した受信機ＩＣであって、
前記外部のＳＡＷデバイスの両端にそれぞれ接続された入力端子と出力端子を有するインバータステージ、
前記インバータステージの入力端子と接地の間に接続された第１コンデンサ、
前記インバータステージの出力端子と接地の間に接続された第２コンデンサ、および
前記インバータステージの入力と出力端子の間に接続されたレジスタを含む受信機ＩＣ。
【請求項２】
前記インバータステージは、直列接続された３つのインバータを含む請求項１に記載の受信機ＩＣ。
【請求項３】
前記発振回路に接続されたフィルターを更に含み、前記フィルターの通過帯域の帯域幅は、１．５ＭＨｚ〜４ＭＨｚの間にある請求項１に記載の受信機ＩＣ。
【請求項４】
前記フィルターの前記通過帯域の中心周波数は、１ＭＨｚ〜３ＭＨｚの間にある請求項３に記載の受信機ＩＣ。
【請求項５】
無線周波数（ＲＦ）信号を受ける第１増幅器、
前記第１増幅器と前記発振回路に接続され、無線周波数（ＲＦ）信号と発信信号を混合し、混合信号を発生するミキサー、
前記ミキサーに接続され、前記混合信号をフィルタリングし、中間周波数（ＩＦ）信号を発生するフィルター、
前記フィルターに接続され、前記中間周波数（ＩＦ）信号を増幅し、増幅された信号を発生する第２増幅器、および
前記第２増幅器に接続され、前記増幅された信号に基づいて出力信号を発生する受信信号強度インジケータ（ＲＳＳＩ）を更に含む請求項１に記載の受信機ＩＣ。
【請求項６】
前記フィルターの通過帯域の帯域幅は、１．５ＭＨｚ〜４ＭＨｚの間にある請求項５に記載の受信機ＩＣ。
【請求項７】
前記フィルターの前記通過帯域の中心周波数は、１ＭＨｚ〜３ＭＨｚの間にある請求項６に記載の受信機ＩＣ。
【請求項８】
前記ミキサーと前記発振回路の間に接続されたバッファを更に含む請求項５に記載の受信機ＩＣ。
【請求項９】
前記第１増幅器は、低雑音増幅器（ＬＮＡ）である請求項５に記載の受信機ＩＣ。
【請求項１０】
前記フィルターは、中間周波数（ＩＦ）ローパスフィルターである請求項５に記載の受信機ＩＣ。
【請求項１１】
前記第２増幅器は、中間周波数（ＩＦ）増幅器である請求項５に記載の受信機ＩＣ。
【請求項１２】
前記インバータステージは、３つのインバータを含む請求項１に記載の受信機ＩＣ。
【請求項１３】
前記受信信号強度インジケータ（ＲＳＳＩ）に接続されたピーク検出器を更に含み、受けたデータ信号のピークに比例するＤＣ電圧を発生する請求項１に記載の受信機ＩＣ。
【請求項１４】
前記受信信号強度インジケータ（ＲＳＳＩ）に接続されたデータスライサーを更に含み、デジタル出力信号を発生する請求項１に記載の受信機ＩＣ。
【発明の詳細な説明】
【技術分野】
【０００１】
本発明は、受信機に関し、特に、表面弾性波（ＳＡＷ−ｂａｓｅｄ）発振器を備える受信機ＩＣに関するものである。
【背景技術】
【０００２】
無線通信では、無線周波数集積回路（ＲＦＩＣ）は、キーレスエントリシステム、リモートコントロールシステム、アラームシステム、セキュリティシステム、無線センサーなどに用いられる。受信機は、ＲＦＩＣに不可欠な素子である。
【０００３】
通常、受信機は、局部発振器を含む。局部発振器は、信号を発生し、アンテナからの信号と共にミキサーの中に注入される。よって、注入された信号の周波数の和と差に相当する周波数の信号がスーパーヘテロダインによって発生され、ミキサーからの信号の１つの周波数が中間周波数（ＩＦ）帯域に落ち、中間周波数帯域の信号が復調器によって処理されて、出力信号が発生される。
【発明の開示】
【発明が解決しようとする課題】
【０００４】
表面弾性波発振器を備える受信機ＩＣを提供する。
【課題を解決するための手段】
【０００５】
外部のＳＡＷデバイスに関連した受信機ＩＣの実施例は、発振回路を含む。発振回路は、インバータステージ、第１コンデンサ、第２コンデンサと、レジスタを含む。インバータステージは、外部のＳＡＷデバイスの両端にそれぞれ接続された入力端子と出力端子を有する。第１と第２コンデンサは、入力／出力端子と接地の間にそれぞれ接続される。レジスタは、インバータステージの入力と出力端子の間に接続される。
【発明の効果】
【０００６】
本発明の実施例に基づくと、ＩＦローパスフィルターの帯域幅が増幅されることから、リモートコントローラーによって発生された信号は、そこに周波数ずれが起こった場合でもＩＦローパスフィルターによって取り除かれない。よって、受信機ＩＣは、リモートコントローラーによって発生された信号を受けることができる。
【発明を実施するための最良の形態】
【０００７】
本発明についての目的、特徴、長所が一層明確に理解されるよう、以下に実施形態を例示し、図面を参照にしながら、詳細に説明する。
【実施例】
【０００８】
図１は、本発明の実施例に基づいた表面弾性波発振器を備える受信機ＩＣのブロック図である。受信機ＩＣは、第１増幅器１１０、ミキサー１２０、局部発振器（ＬＯ）１３０、バッファ１４０、フィルター１５０、第２増幅器１６０と、受信信号強度インジケータ（ＲＳＳＩ）１９０を含む。ミキサー１２０は、第１増幅器１１０と局部発振器１３０に接続される。フィルター１５０は、ミキサー１２０に接続される。第２増幅器１６０は、フィルター１５０に接続される。受信信号強度インジケータ（ＲＳＳＩ）１９０は、第２増幅器１６０に接続される。実施例では、第１増幅器１１０は、低雑音増幅器である。フィルター１５０は、中間周波数（ＩＦ）ローパスフィルターである。第２増幅器１６０は、中間周波数（ＩＦ）増幅器である。低雑音増幅器（ＬＮＡ）が無線周波数（ＲＦ）信号を受けた後、局部発振器１３０（バッファ１４０を通して）からのＲＦ信号と発振信号は、ミキサー１２０によって混合され、混合信号が発生される。混合信号は、ＩＦローパスフィルターによってフィルターされ、中間周波数（ＩＦ）信号が発生される。中間周波数（ＩＦ）信号は、中間周波数（ＩＦ）増幅器によって増幅され、増幅された信号が発生される。受信信号強度インジケータ（ＲＳＳＩ）１９０は、増幅された信号に基づいてＩＦ信号からのデータを取り込むことで出力信号を発生する。また、受信機ＩＣは、ピーク検出器１７０とデータスライサー１８０を更に含む。ピーク検出器１７０は、ＲＳＳＩ１９０に接続され、受信したデータ信号のピークに比例するＤＣ電圧を発生する。データスライサー１８０は、ＲＳＳＩ１９０に接続され、次の処理のためのデジタルデータ信号を発生する。実施例では、データスライサー１８０は、ピーク検出器１７０に接続される。
【０００９】
図２は、図１の局部発振器１３０の回路図である。局部発振器は、表面弾性波発振器である。表面弾性波発振器は、発振回路２００を含む。発振回路２００は、インバータステージ２１０、第１と第２コンデンサ２２０と２３０と、レジスタ２４０を含む。インバータステージ２１０は、入力端子２１１と出力端子２１３を有し、ＳＡＷデバイス３００の両端にそれぞれ接続される。実施例では、ＳＡＷデバイスは、ＳＡＷ共振器である。第１コンデンサ２２０は、インバータステージ２１０の入力端子２１１と接地ＧＮＤの間に接続され、第２コンデンサ２３０は、インバータステージ２１０の出力端子２１３と接地ＧＮＤの間に接続される。レジスタ２４０は、入力端子２１１とインバータステージ２１０の出力端子２１３の間に接続される。出力端子２１３の出力信号と入力端子２１１の入力信号は、互いに相反する。好ましくは、インバータステージ２１０は、直列接続された３つのインバータを含む。しかし、インバータの数は、その数を限定するものではなく、３つ以上のインバータが本発明に基づいたＳＡＷ発振器を備える受信機ＩＣのインバータステージ２１０に提供されることができる。
【００１０】
図１〜３を参照されたい。図３は、図１の第２フィルター（中間周波数ローパスフィルター）１５０の回路図である。第２フィルター１５０は、実質的に、オペアンプ３１０、第１と第２レジスタＲ１とＲ２と、第１と第２コンデンサＣ１とＣ２を含むサレンキー（Ｓａｌｌｅｎ−Ｋｅｙ）フィルターである。第２フィルター１５０は、ミキサー１２０に接続された入力端子ＩＮと、第２増幅器（ＩＦ増幅器）１６０に接続された出力端子ＯＵＴを有する。オペアンプ３１０は、その出力端子３１５に接続された反転端子３１３を有する。第１コンデンサＣ１は、オペアンプ３１０と接地ＧＮＤの非反転端子３１１に接続される。第１と第２レジスタＲ１とＲ２は、入力端子ＩＮとオペアンプ３１０の非反転端子３１１の間に直列接続される。第１と第２レジスタＲ１とＲ２の間に節点Ｎがある。第２コンデンサＣ２は、節点Ｎとオペアンプ３１０の出力端子３１５に接続される。
【００１１】
リモートコントロールのドア開閉システムでは、リモートコントローラーによって発生された信号は、長い時間が経つと周波数ずれを起こす。仮に、受信機ＩＣのＩＦローパスフィルターの通過帯域の帯域幅が狭い（数百ＫＨｚ）場合、リモートコントローラーによって発生された信号は、ＩＦローパスフィルターによって取り除かれ、受信機は、リモートコントローラーによって発生された信号を受けることができない。よって、リモートコントロールシステムは、しっかりと機能することができない。本発明の実施例に基づくと、ＩＦローパスフィルターの通過帯域の帯域幅は、１．５ＭＨｚ〜４ＭＨｚの間にある。実施例では、ＩＦローパスフィルターの帯域幅は、３ＭＨｚにセットされる。ＩＦローパスフィルターの帯域幅が増幅されることから、リモートコントローラーによって発生された信号は、そこに周波数ずれが起こった場合でもＩＦローパスフィルターによって取り除かれない。よって、受信機ＩＣは、リモートコントローラーによって発生された信号を受ける。好ましくは、ＩＦローパスフィルター１５０の帯域幅の中心周波数は、１ＭＨｚ〜３ＭＨｚの間にある。実施例では、ＩＦローパスフィルター１５０の帯域幅の中心周波数は、１．８ＭＨｚである。
【００１２】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１３】
【図１】本発明の実施例に基づいた表面弾性波発振器を備える受信機ＩＣのブロック図である。
【図２】図１の局部発振器１３０の回路図である。
【図３】図１の中間周波数ローパスフィルター１５０の回路図である。
【符号の説明】
【００１４】
１１０      第１増幅器
１２０      ミキサー
１３０      局部発振器
１４０      バッファ
１５０      フィルター
１６０      第２増幅器
１７０      ピーク検出器
１８０      データスライサー
１９０      受信信号強度インジケータ（ＲＳＳＩ）
２００      発振回路
２１０      インバータステージ
２１１      入力端子
２１３      出力端子
２２０      第１コンデンサ
２３０      第２コンデンサ
２４０      レジスタ
３００      ＳＡＷデバイス
３１０      オペアンプ
３１１      非反転端子
３１３      反転端子
３１５      出力端子
ＧＮＤ      接地
Ｒ１        第１レジスタ
Ｒ２        第２レジスタ
Ｃ１        第１コンデンサ
Ｃ２        第２コンデンサ
ＩＮ        入力端子
ＯＵＴ      出力端子
Ｎ          節点
【図１】
2008099241.tif 000003
【図２】
2008099241.tif 000004
【図３】
2008099241.tif 000005